(57)【特許請求の範囲】
【請求項１】
画像が表示される表示面（２０ａ）を形成する液晶パネル（２０）と、
前記液晶パネルへ背面側から光を照射するバックライト（３０）と、
前記表示面に、特定画素領域（Ｇ１０、Ｇ１００、Ｇ３００、Ｇ５０、Ｇ６０、Ｇ７０、Ｇ７１）と、他の画素領域（Ｇ２０、Ｇ４００）と、を設定し、前記特定画素領域では、前記他の画素領域に比べて光の透過率が高くなるように、前記液晶パネルを制御する制御装置（６００）と、
前記液晶パネルと前記バックライトとの間に配置され、前記特定画素領域及び前記他の画素領域のうち、前記特定画素領域を通して視認される実体物（４０、４００、４２０、４３０、４４０、４５０）と、を備え、
前記他の画素領域は、前記特定画素領域を囲む態様にて前記液晶パネルの前記表示面に配置され、
前記特定画素領域は、その背面側に、前記バックライトの発光面と対向する部分を有していることを特徴とする表示装置。
【請求項２】
前記実体物には、回転駆動される指針（４０）が含まれており、
前記液晶パネルには、前記指針により指し示される複数の目盛り画像（Ｇ１１）が表示されていることを特徴とする請求項１に記載の表示装置。
【請求項３】
前記特定画素領域には、前記指針の影を表す影画像（Ｇ１２）が、前記指針の回転駆動に伴い表示位置が移動するように表示されていることを特徴とする請求項２に記載の表示装置。
【請求項４】
前記特定画素領域には、前記目盛り画像に対応する数値を表した数字画像（Ｇ１３）が表示されており、
前記数字画像が部分的に前記指針と重なっている時、前記数字画像のうち前記指針と重なっている部分を、重なっていない部分に比べて高透過率で表示、または表示させないことを特徴とする請求項２または３に記載の表示装置。
【請求項５】
前記液晶パネルに対して前記バックライトの反対側に配置され、回転駆動される指針（７０）を備えることを特徴とする請求項１に記載の表示装置。
【請求項６】
前記指針の回転範囲には、目盛りを指し示すことで物理量を表示する表示範囲、および前記表示範囲とは異なる非表示範囲が含まれており、
前記非表示範囲にある前記指針を覆って目隠しする目隠し部材（１０ｂ）を備えることを特徴とする請求項５に記載の表示装置。
【請求項７】
前記実体物には、前記表示面の視認可能領域の外縁に沿って延びる壁部材（４００）が含まれていることを特徴とする請求項１〜６のいずれか１つに記載の表示装置。
【請求項８】
前記特定画素領域の透過率を、前記実体物が視認可能となる程度に高くする実体物表示モードと、前記実体物が視認できない程度に低くする実体物非表示モードとに切り替える切替手段（６１ａ）を備えることを特徴とする請求項１〜７のいずれか１つに記載の表示装置。
【請求項９】
前記制御装置は、前記他の画素領域に黒色の背景画像を表示させるように前記液晶パネルを制御することを特徴とする請求項１〜８のいずれか１つに記載の表示装置。
【発明の詳細な説明】
【技術分野】
【０００１】
本発明は、液晶パネルを備えた表示装置に関する。
【背景技術】
【０００２】
従来の表示装置には、例えば指針等の実体物を動かして目盛を指し示すことで、表示内容を変化させるものがある。これに対し特許文献１、２に記載の表示装置は、上記実体物を模した画像を液晶パネルに表示させることで、表示内容を多様に変化させることを容易に実現させている。
【０００３】
但し、液晶パネルでは表示画像を立体的に視認させることに物理的限界があり、実体物を用いた表示装置に比べて平面的な見栄えになるのが欠点である。この欠点に対し、特許文献１、２に記載の表示装置では、液晶パネルに対して視認方向手前側に、実体物としての加飾リングを配置している。加飾リングは立体的に視認されるので、液晶パネルの平面的な見栄えに奥行き感を付与させることができる。よって、表示装置の全体を、液晶パネルと加飾リングの組み合わせによる立体的な見栄えにできる。
【先行技術文献】
【特許文献】
【０００４】
【特許文献１】特許第５１８０１５０号公報
【特許文献２】特許第４７８７１０２号公報
【発明の概要】
【発明が解決しようとする課題】
【０００５】
しかしながら、上述の如く液晶パネルの手前側に加飾リング（実体物）を配置すると、液晶パネルによる画像の一部が実体物により遮られて見えなくなるので、液晶パネルの表示面全体を有効に利用できない。
【０００６】
本発明は、上記問題を鑑みてなされたもので、その目的は、液晶パネルに実体物を組み合わせて奥行き感を付与させつつも、液晶パネルの表示面全体を有効に利用可能にした表示装置を提供することにある。
【課題を解決するための手段】
【０００７】
ここに開示される発明は上記目的を達成するために以下の技術的手段を採用する。なお、特許請求の範囲およびこの項に記載した括弧内の符号は、後述する実施形態に記載の具体的手段との対応関係を示すものであって、発明の技術的範囲を限定するものではない。
【０００８】
開示される発明のひとつは、画像が表示される表示面（２０ａ）を形成する液晶パネル（２０）と、液晶パネルへ背面側から光を照射するバックライト（３０）と、表示面に、特定画素領域（Ｇ１０、Ｇ１００、Ｇ３００、Ｇ５０、Ｇ６０、Ｇ７０、Ｇ７１）と、他の画素領域（Ｇ２０、Ｇ４００）と、を設定し、特定画素領域では、他の画素領域に比べて光の透過率が高くなるように、液晶パネルを制御する制御装置（６００）と、液晶パネルとバックライトとの間に配置され、特定画素領域及び他の画素領域のうち、特定画素領域を通して視認される実体物（４０、４００、４２０、４３０、４４０、４５０）と、を備え、他の画素領域は、特定画素領域を囲む態様にて液晶パネルの表示面に配置され、特定画素領域は、その背面側に、バックライトの発光面と対向する部分を有していることを特徴とする。
【０００９】
この発明によれば、液晶パネルとバックライトの間に実体物が配置されているので、液晶パネルによる画像の一部が実体物により遮られて見えなくなることを回避できる。よって、液晶パネルに実体物を組み合わせて奥行き感を付与させつつも、液晶パネルの表示面全体を有効に利用できる。
【００１０】
さらに上記発明によれば、実体物が背面側に位置する部分の特定画素領域の透過率が、他の画素領域より高いので、特定画素領域を透過して実体物が視認され易くなる。一方、他の画素領域については、液晶パネルの背面側に存在する物が視認され難くなる。そのため、特定画素領域を透して視認される実体物が目立つようになり、実体物に視線が惹きつけられることが促進される。つまり、実体物への誘目性を向上させることができる。
【図面の簡単な説明】
【００１１】
【図１】本発明の第１実施形態に係る表示装置の正面図であって、実体物表示モードによる表示内容を示す図。
【図２】図１の断面図。
【図３】図２の分解斜視図。
【図４】図１の実体物表示モードを実体物非表示モードに切り替えて表示させた状態を示す図。
【図５】図２のマイコンによる制御対象を示すブロック図。
【図６】図２のマイコンによる表示制御の手順を示すフローチャート。
【図７】本発明の第２実施形態に係る表示装置の正面図であって、実体物表示モードによる表示内容を示す図。
【図８】本発明の第３実施形態に係る表示装置の正面図であって、実体物表示モードによる表示内容を示す図。
【図９】図８の断面図。
【図１０】本発明の第４実施形態に係る表示装置の正面図であって、実体物表示モードによる表示内容を示す図。
【図１１】図１０の断面図。
【図１２】図１１の分解斜視図。
【図１３】図１０の実体物表示モードを別の実体物表示モードに切り替えて表示させた状態を示す図。
【図１４】図１０の実体物表示モードを実体物非表示モードに切り替えて表示させた状態を示す図。
【図１５】本発明の第５実施形態に係る表示装置の正面図であって、実体物表示モードによる表示内容を示す図。
【図１６】図１５の断面図。
【図１７】図１６の分解斜視図。
【図１８】図１７に示すアクチュエータが、液晶パネルに対向する位置に実体物を移動させた状態を示す図。
【図１９】図１７に示すアクチュエータが、液晶パネルに対向する位置から外れた位置に実体物を移動させた状態を示す図。
【図２０】本発明の第６実施形態に係る表示装置の正面図であって、実体物表示モードによる表示内容を示す図。
【図２１】第６実施形態において、実体物を分割移動させた状態を示す図。
【図２２】第７実施形態において、実体物が移動する状態を説明する図。
【図２３】本発明の第８実施形態に係る表示装置の正面図であって、実体物表示モードによる表示内容を示す図。
【図２４】図２３の断面図。
【図２５】図２４の分解斜視図。
【図２６】本発明の第９実施形態に係る表示装置の断面図。
【発明を実施するための形態】
【００１２】
以下、図面を参照しながら発明を実施するための複数の形態を説明する。各形態において、先行する形態で説明した事項に対応する部分には同一の参照符号を付して重複する説明を省略する場合がある。各形態において、構成の一部のみを説明している場合は、構成の他の部分については先行して説明した他の形態を参照し適用することができる。
【００１３】
（第１実施形態）
図１に示す表示装置Ｄは、車両のインストルメントパネルに組み付けられた車両用の表示装置である。表示装置Ｄは、車両の走行速度や車載バッテリの電力残量等、車両の状態を表した各種物理量の変化を表示したり、各種の異常が生じた場合にその旨を表示したり、演出画像を表示したりする。
【００１４】
図２に示すように、表示装置Ｄは主に、ケース１０、液晶パネル２０、バックライト３０、指針４０、電動モータ５０、および回路基板６０を備えて構成されている。ケース１０は遮光性を有する樹脂製であり、液晶パネル２０、バックライト３０および回路基板６０等を内部に収容して保持する。
【００１５】
液晶パネル２０は、液晶が保持された液晶層、液晶層の両側に配置された一対の電極、カラーフィルタ基板、および一対の偏光フィルムを有して構成された、ＴＦＴ液晶パネルである。電極は、行電極および列電極を組合せたマトリクス電極であり、画素毎に設けられた透明電極で構成され、電極に印加される電圧は薄膜トランジスタにより制御される。カラーフィルタ基板は、赤色フィルタ、緑色フィルタおよび青色フィルタを有し、各フィルタは画素毎（電極毎）に配置されている。また、各画素をオンオフする図示しない薄膜トランジスタ（ＴＦＴ）を備えている。偏光フィルムは、所定方向に振動する光を透過して光の振動方向を所定方向に規制するフィルタである。一対の偏光フィルムは、振動方向が９０度ずれるように配置されている。
【００１６】
バックライト３０は、導光板３１、反射板３２、拡散板３３および光源３４（図３参照）を有して構成されている。光源３４には発光ダイオードが採用され白色光を発光するものであり、複数の光源３４が導光板３１の側面に対向する位置に配置されている。光源３４から射出された光は、導光板３１へ側面から入射した後、反射板３２で反射しながら導光板３１の内部を進み、導光板３１の正面側（図２の上側）から出射する。導光板３１から出射した光は、拡散板３３にて乱反射しながら透過する。これにより、拡散板３３の全体が面発光した状態になり、液晶パネル２０の全面に対して均一でムラの少ない光が、バックライト３０から液晶パネル２０へ射出される。
【００１７】
反射板３２は導光板３１の背面側に密着して配置されているのに対し、拡散板３３は、導光板３１の正面側に所定の隙間を空けて配置されている。なお、この隙間は空けなくともよい。また、液晶パネル２０は、拡散板３３の正面側に所定の隙間４０ａを空けて配置されており、この隙間４０ａに、可動の実体物である指針４０が配置されている。
【００１８】
指針４０は、指針部４１とボス部４２を有する。指針部４１およびボス部４２は透光性を有する樹脂により一体に形成されている。ボス部４２には回転軸５１が固定されている。回転軸５１は、導光板３１、反射板３２および拡散板３３に形成された貫通穴３１ａ、３２ａ、３３ａに挿入配置されており、電動モータ５０により回転する。電動モータ５０は回路基板６０に取り付けられている。回路基板６０に実装されたマイクロコンピュータ（マイコン６１）が電動モータ５０の駆動を制御することにより、指針４０の回転位置が制御される。マイコン６１は、中央処理演算装置およびメモリ等を有し、予め記憶されているプログラムにしたがって各種の演算処理を実行する。
【００１９】
液晶パネル２０はフレキシブル配線板２１を有しており、フレキシブル配線板２１の先端に形成された端子２１ａは回路基板６０に接続されている。回路基板６０から液晶パネル２０へ出力される画像信号は、フレキシブル配線板２１を介して液晶パネル２０の電極へ送信される。要するに、液晶パネル２０の表示面２０ａに表示される画像の内容は、マイコン６１により制御される。
【００２０】
回路基板６０は、車両に搭載された電子制御装置のうち表示装置Ｄの外部に設けられた電子制御装置から各種情報を取得し、取得した情報に基づき液晶パネル２０の表示内容および指針４０の回転位置を制御する。上記情報の具体例としては、車両の走行速度や車載バッテリの電力残量等、車両の状態を表した各種物理量の変化を表した情報、および各種異常が生じた旨の情報が挙げられる。
【００２１】
図２に示すように、ケース１０は、液晶パネル２０の正面側に位置する見返し板１１を有し、見返し板１１には開口部１１ａが形成されている。これにより、液晶パネル２０の表示面２０ａのうち、開口部１１ａの内側に位置する部分が視認可能領域となり、この視認可能領域は見返し板１１により仕切られて特定される。また、液晶パネル２０の外縁部分Ｐ１（図２参照）が、見返し板１１により覆い隠されることとなる。ケース１０には、見返し板１１を正面側から覆うカバー１２が取り付けられている。カバー１２は透光性を有する樹脂製である。
【００２２】
バックライト３０の光源３４を点灯させると、液晶パネル２０へ背面側から光が照射される。詳細には、拡散板３３の正面側の面（発光面３３ｂ）から射出される光は液晶パネル２０を透過し、開口部１１ａおよびカバー１２を通じて表示装置Ｄの正面側に射出される。これにより、液晶パネル２０が透過照明され、表示面２０ａに表示される画像がユーザに視認されるようになる。詳細には、液晶パネル２０の画素毎に配置された電極への印加電圧に応じて、該当する画素に対する光の透過率（光透過性）は変化する。
【００２３】
例えば、赤色フィルタ、緑色フィルタおよび青色フィルタに対応する電極の全てについて、透過率が最大になるように印加電圧を制御すると、各々のフィルタを透過する光の輝度が最大になる。その結果、該当する画素は白色に視認される。つまり、拡散板３３の発光色で視認される。一方、各フィルタに対応する電極の全てについて、透過率が最小になるように印加電圧を制御すると、各々のフィルタを透過する光の輝度が最小になる。その結果、該当する画素は黒色に視認される。
【００２４】
表示面２０ａのうち、上述の如く透過率が高く制御された領域（特定画素領域Ｇ１０）については、その領域の背面側に位置する物体、つまり指針４０または拡散板３３が、液晶パネル２０を透かして視認可能になる。換言すれば、バックライト３０から射出された光（白色光）のうち、指針４０に反射して液晶パネル２０に向かう光は、特定画素領域Ｇ１０を透過してユーザに視認されることとなる。
【００２５】
一方、表示面２０ａのうち特定画素領域Ｇ１０に比べて透過率が低く制御された領域（他の画素領域Ｇ２０）については、その領域の背面側に位置する物体は視認できなくなる。換言すれば、指針４０に反射して液晶パネル２０に向かう光は、他の画素領域Ｇ２０を透過しないのでユーザに視認されない。なお、図１、図３および図４に示す斜線は、断面ハッチングを意味するものではなく、他の画素領域Ｇ２０または第２画素領域Ｇ４０の範囲を意味する。
【００２６】
透過率を高くするほど、指針４０からの反射光が液晶パネル２０を透過する度合いが大きくなり、指針４０が鮮明に視認されるようになる。一方、透過率を低くするほど、指針４０からの反射光が液晶パネル２０を透過する度合いが小さくなり、指針４０がぼやけて視認されるようになる。
【００２７】
要するに、液晶パネル２０による透過率を制御することで、指針４０が視認される実体物表示モード（図１参照）と、指針４０が視認されない実体物非表示モード（図４参照）とに切り替えることができる。また、実体物表示モードでは以下の態様で表示装置Ｄを視認させることもできる。すなわち、液晶パネル２０による透過率の度合いに応じて指針４０の鮮明度合い（ぼやける度合い）を制御できるので、その透過率を調整することで、指針４０がぼやけて視認される度合いを調整できる。また、特定画素領域Ｇ１０に表示される画像と指針４０とを重ねて視認させることができる。また、特定画素領域Ｇ１０のうち指針４０と重なる部分を他の部分とは異なる色で表示することで、指針４０がその表示色であるかのように錯覚させることができる。
【００２８】
図１に示す実体物表示モードでは、表示面２０ａのうち指針４０の回転領域の全体を含む領域を特定画素領域Ｇ１０として設定しており、特定画素領域Ｇ１０の外側全体を他の画素領域Ｇ２０として設定している。特定画素領域Ｇ１０には、指針４０に指し示される目盛り画像Ｇ１１、および影画像Ｇ１２が表示される。車速に応じて指針４０の回転位置を制御することで、指針４０と目盛り画像Ｇ１１との組み合わせにより車速が表示される。影画像Ｇ１２は、指針部４１から回転方向逆側に延びる影を模した画像である。よって、指針４０の回転位置に応じて影画像Ｇ１２の表示位置も変化することとなる。なお、影画像Ｇ１２の回転方向長さは、指針４０の回転速度が速いほど長く設定される。
【００２９】
要するに、図１に示す実体物表示モードでは、他の画素領域Ｇ２０に表示された黒色画像を背景とし、拡散板３３、指針４０、目盛り画像Ｇ１１および影画像Ｇ１２が組み合わさって視認される。また、表示面２０ａと指針４０と拡散板３３とでは、視認方向における光路長が異なるので、焦点距離の違いによる視差が生じる。つまり、指針４０は表示面２０ａの視認方向奥側（背面側）に存在するように視認され、拡散板３３は指針４０のさらに奥側に存在するように視認される。
【００３０】
他の画素領域Ｇ２０には黒色の背景画像が表示される。さらに他の画素領域Ｇ２０には、ウインカーが操作された向きを表示する方向指示画像Ｇ２２、および各種異常を警告表示する警告画像Ｇ２３が、背景画像を背景として表示されている。他の画素領域Ｇ２０に表示される全ての画像、つまり方向指示画像Ｇ２２、警告画像Ｇ２３および黒色の背景画像は、透過率が所定値未満となるように設定されている。一方、特定画素領域Ｇ１０に表示される白色の背景画像は、透過率が所定値以上となるように設定されている。
【００３１】
図４に示す実体物非表示モードでは、表示面２０ａは、各種情報を表示する第１画素領域Ｇ３０と、第１画素領域Ｇ３０の外側全体の領域である第２画素領域Ｇ４０とに区分されている。第２画素領域Ｇ４０は、指針４０が視認されない程度に透過率が低く設定されており、指針４０の回転位置は、第２画素領域Ｇ４０に対応する位置に制御されている。そのため、指針４０はユーザに視認されない。
【００３２】
第１画素領域Ｇ３０には、車速を数値で表した車速画像Ｇ３１と、車載バッテリの電力残量を表した電力残量画像Ｇ３２とが表示されている。第１画素領域Ｇ３０のうち電力残量画像Ｇ３２の背景部分は、周期的に変化する態様で表示される。例えば電力残量画像Ｇ３２を中心として背景画像が回転することにより、充電中であることを表現している。
【００３３】
第２画素領域Ｇ４０には黒色の背景画像が表示される。さらに第２画素領域Ｇ４０には、ウインカーが操作された向きを表示する方向指示画像Ｇ４１が、背景画像を背景として表示されている。
【００３４】
図５に示す駆動回路６３は、回路基板６０に実装されたものであり、マイコン６１から出力された指令信号にしたがって、液晶パネル２０が有する先述した薄膜トランジスタの駆動を制御する。電源回路６４は、回路基板６０に実装されたものであり、バックライト３０が有する光源３４への電力供給量を、マイコン６１から出力された指令信号にしたがって制御する。具体的には、光源３４への電力供給のオンオフを制御する。
【００３５】
回路基板６０に実装されたマイコン６１、メモリ６２、入力処理回路、出力処理回路等により、制御装置６００が構成されている。この制御装置６００は、駆動回路６３を制御することで液晶パネル２０の表示画像を制御するとともに、電源回路６４を制御することでバックライト３０のオンオフを制御していると言える。さらに制御装置６００は、電動モータ５０を制御することで指針４０の回転位置を制御している。
【００３６】
メモリ６２には、液晶パネル２０に表示される各種の画像を表した画像データが記憶されている。マイコン６１は、車両の状態に応じて表示モードを切り替える切替手段６１ａとしても機能する。例えば、イグニッションスイッチ（ＩＧＳＷ６０１）がオン操作されると、バックライト３０への電力供給をオンにして、指針４０を視認させないようにしつつ演出画像を表示する開始演出モードで液晶パネル２０を表示させる。ＩＧＳＷ６０１がオフ操作された場合にも、指針４０を視認させないようにしつつ演出画像を表示する終了演出モードで液晶パネル２０を表示させ、その後、バックライト３０への電力供給をオフにする。
【００３７】
開始演出モードの終了後、ＩＧＳＷ６０１がオフ操作されるまでの期間において、通常時には、センサ６０２により検出された車速等の物理量に基づき、該物理量を指し示すように指針４０の回転位置を制御する。そして、図１に示す実体物表示モードで液晶パネル２０を表示させる。この場合、他の画素領域Ｇ２０の画像内容については、ユーザの好みに応じた画像に変更可能である。但し、他の画素領域Ｇ２０の透過率は所定値未満とする。
【００３８】
車載バッテリの電力残存量が所定値未満になっている場合や、ユーザが表示の切り替えを要求した場合等、所定の条件を満たすイベントが発生した時には、実体物表示モードから図４に例示される実体物非表示モードに切り替える。図４の例では、指針４０の一部が、液晶パネル２０に対向する位置から外れた位置となるよう、指針４０の回転位置を制御する。そして、指針４０を視認させないようにするべく、液晶パネル２０の表示面２０ａのうち指針４０が背面側に位置する部分が、第２画素領域Ｇ４０となるように表示制御する。車速画像Ｇ３１は、センサ６０２により検出された車速を表した画像に制御される。
【００３９】
図６は、マイコン６１が有する中央処理演算装置により所定周期で繰返し実行される処理の手順を示すフローチャートであり、先ず、ステップＳ１０にて実体物表示モードが要求されているか否かを判定する。指針４０をユーザに視認させる実体物表示モードが要求される例としては、指針４０で目盛りを指し示すことにより物理量を表示する場合が挙げられ、具体的には、図１に示す如く車速を表示する場合が挙げられる。一方、指針４０をユーザに視認させない実体物非表示モードが要求される例としては、液晶パネル２０に表示されている画像に注目させる場合が挙げられる。具体的には、図４に示す電力残量画像Ｇ３２や、表示装置Ｄの起動時に表示されるオープニング画像、表示装置Ｄの作動終了時に表示されるエンディング画像等に注目させる場合が挙げられる。
【００４０】
ステップＳ１０にて非表示モードと判定された場合には、続くステップＳ１１において、図４中の点線に示すように第２画素領域Ｇ４０の背面側に指針４０を退避させる退避制御を実行する。その後、ステップＳ１２において、液晶パネル２０を以下のように表示させて指針４０を視認させないようにする演出制御を実行する。すなわち、第２画素領域Ｇ４０では、指針４０が視認できない程度に透過率の低い画像を表示させる。第１画素領域Ｇ３０では、車速画像Ｇ３１や電力残量画像Ｇ３２等の物理量を報知する画像を表示させる。
【００４１】
非表示モードにおける第１画素領域Ｇ３０では、液晶パネル２０の背面側に位置する物体である拡散板３３が視認できない程度に透過率を低くする必要はない。例えば、第１画素領域Ｇ３０の透過率を高くしても、指針４０は退避制御されているので視認されず、指針４０の背面側に位置する拡散板３３が視認されることとなる。仮に透過率が１００％であれば、この場合の拡散板３３は光源３４の色で面発光しているように視認される。
【００４２】
ステップＳ１０にて表示モードと判定された場合には、続くステップＳ１３において、図１中に示すように、報知させたい物理量に応じた回転位置に指針４０を回動させるよう、電動モータ５０を制御する。その後、ステップＳ１４において、液晶パネル２０を以下のように表示させて回動制御される指針４０を視認させるように、特定画素領域Ｇ１０の透過率を制御する。特定画素領域Ｇ１０は、指針４０の物理量に応じた回動範囲の全体を含むように設定されている。また、特定画素領域Ｇ１０に、目盛り画像Ｇ１１および影画像Ｇ１２を表示させる。これにより、指針４０が目盛り画像Ｇ１１を指し示すことで車速等の物理量が表示されることとなる。
【００４３】
特定画素領域Ｇ１０のうち指針４０が存在しない領域、かつ、目盛り画像Ｇ１１および影画像Ｇ１２が表示されていない領域は、拡散板３３が視認されることとなる。この領域の透過率が１００％であれば、この場合の拡散板３３は光源３４の色で面発光しているように視認される。つまり、拡散板３３を背景として、指針４０、目盛り画像Ｇ１１および影画像Ｇ１２が視認されるようになる。他の画素領域Ｇ２０については、特定画素領域Ｇ１０よりも低い透過率に制御する。なお、ステップＳ１０の処理を実行している時のマイコン６１は、実体物表示モードと実体物非表示モードとに切り替える「切替手段」に相当する。
【００４４】
以上により、本実施形態によれば、液晶パネル２０とバックライト３０の間に指針４０（実体物）が配置されている。そのため、液晶パネル２０の正面側に指針を配置した場合に生じる「液晶パネル２０による画像の一部が指針により遮られて見えなくなる」といった問題を回避できる。よって、液晶パネル２０に実体物としての指針４０を組み合わせて表示装置Ｄに奥行き感を付与させつつも、液晶パネル２０の表示面２０ａ全体を有効に利用できるようになる。
【００４５】
また、本実施形態によれば、液晶パネル２０による画像の奥側に指針４０が視認され、さらにその指針４０の奥側に拡散板３３が視認される。したがって、少なくとも３層のレイヤー表示を実現でき、奥行きのある見栄えにすることを向上できる。
【００４６】
さらに本実施形態によれば、指針４０が背面側に位置する部分の特定画素領域Ｇ１０の透過率が、他の画素領域Ｇ２０より高いので、特定画素領域Ｇ１０を透過して指針４０が視認され易くなる。一方、他の画素領域Ｇ２０については、液晶パネル２０の背面側に存在する物（拡散板３３）が視認され難くなる。そのため、特定画素領域Ｇ１０を透して視認される指針４０が目立つようになり、指針４０に視線が惹きつけられることが促進される。つまり、指針４０への誘目性を向上させることができる。
【００４７】
さらに本実施形態では、制御装置６００は、他の画素領域Ｇ２０が黒色画像になるように液晶パネル２０を制御する。そのため、他の画素領域Ｇ２０では拡散板３３が視認されなくなり、かつ、特定画素領域Ｇ１０の輝度が他の画素領域Ｇ２０の輝度よりも高くなるので、指針４０への誘目性をより一層向上できる。
【００４８】
さらに本実施形態によれば、液晶パネル２０とバックライト３０との間で実体物（指針４０）を動かすアクチュエータ（電動モータ５０）を備える。これによれば、液晶パネル２０の表示変化に実体物の変化を合体させて、多様な表示にできる。
【００４９】
さらに本実施形態によれば、実体物には、アクチュエータ（電動モータ５０）により回転駆動される指針４０が含まれており、液晶パネル２０には、指針４０により指し示される複数の目盛り画像Ｇ１１が表示されている。ここで、本実施形態に反して指針４０を液晶パネル２０の正面側に配置すると、指針４０のボス部４２の厚さ分だけ指針４０を表示面２０ａから離す必要が生じる。これに対し本実施形態では、液晶パネル２０の背面側に指針４０を配置するので、視認方向における表示面２０ａと指針部４１との間隔を小さくできる。よって、目盛り画像Ｇ１１と指針部４１との視線方向距離の差、つまり焦点距離の差（視差）を小さくできるので、いずれの目盛り画像Ｇ１１を指し示しているのかの視認性が向上する。
【００５０】
さらに本実施形態によれば、液晶パネル２０には、指針４０の影を表す影画像Ｇ１２が、指針４０の回転駆動に伴い表示位置が移動するように表示されている。さて、本実施形態によれば、先述した通り表示面２０ａと指針部４１との視差を小さくできるので、影画像Ｇ１２を表示させた場合、その影画像Ｇ１２と指針部４１との視差を小さくできる。よって、影画像Ｇ１２が実体物にピッタリと連れ動くように見せることができるので、実際の影であるかのように錯覚させることができ、表示装置Ｄによる表示のリアリティを向上できる。
【００５１】
さらに本実施形態によれば、特定画素領域Ｇ１０の透過率を、実体物（指針４０）が視認可能となる程度に高くする実体物表示モードと、実体物が視認できない程度に低くする実体物非表示モードとに切り替える切替手段（ステップＳ１０）を備える。そのため、液晶パネル２０の表示を切り替えることで、実体物が現れたり消えたりする表示を容易に実現できる。
【００５２】
（第２実施形態）
本実施形態では、図７に示すように、特定画素領域Ｇ１０に数字画像Ｇ１３が表示されている。数字画像Ｇ１３は、目盛り画像Ｇ１１に対応する数値を表した画像である。そして、数字画像Ｇ１３が部分的に指針部４１と重なっている時、数字画像Ｇ１３のうち指針部４１と重なっている部分を表示させないようにしている。例えば、図７に示されている複数の数字画像Ｇ１３のうち、「０」「４０」「６０」「８０」「１００」「１２０」「１４０」を示す数字画像は指針部４１と重なっていないため、数字の全体が数字画像として表示されている。これに対し「２０」を示す数字画像は、部分的に指針部４１と重なっており、その重なった部分は数字画像を表示させていない。
【００５３】
仮に、本実施形態に反して指針部４１と重なった部分の数字画像も表示させると、指針４０が液晶パネル２０の背面側に配置されていることに起因して、指針部４１のうち数字画像と重なった部分の視認性が悪くなる。よって、指針部４１が、複数の目盛り画像Ｇ１１のいずれを指し示しているかの視認性が悪くなる。これに対し本実施形態では、指針部４１のうち数字画像と重なった部分については数字画像Ｇ１３を部分的に表示させないようにするので、指針部４１の視認性悪化を回避できる。
【００５４】
（第３実施形態）
本実施形態では、図８および図９に示すように、実体物には、表示面２０ａの視認可能領域の外縁に沿って延びる壁部材４００が含まれている。視認可能領域の外縁は、見返し板１１の開口部１１ａの壁面により特定される。壁部材４００は、上記外縁に沿って環状に延びる筒形状であり、液晶パネル２０に近づくほど開口面積が拡大する形状である。壁部材４００の筒形状内部に指針部４１は位置する。壁部材４００は透光性を有する樹脂製である。
【００５５】
壁部材４００の内周面は凹凸形状に形成されており、凹凸に応じて屈折した光が、液晶パネル２０を透して視認される。具体的には、図９に示すように、壁部材４００の内周面に、環状に延びる４本の凸部４０１が４つ並べて形成されている。液晶パネル２０の表示面２０ａのうち、壁部材４００が背面側に位置する部分の画素領域は、他の画素領域Ｇ２０に比べて透過率の高い特定画素領域Ｇ１００に設定されている。そのため、壁部材４００は特定画素領域Ｇ１００を透して図８のように視認されることとなる。なお、図４に示す非表示モードにおいては、第２画素領域Ｇ４０の背面側に壁部材４００が位置することとなり、壁部材４００は視認されない。
【００５６】
以上により、本実施形態によれば、液晶パネル２０の奥側に、指針４０とともに壁部材４００が視認されるようになる。よって、液晶パネル２０の正面側に壁部材を配置した場合に生じる「液晶パネル２０による画像の一部が壁部材により遮られて見えなくなる」といった問題を回避できる。よって、液晶パネル２０に実体物としての壁部材４００を組み合わせて表示装置Ｄに奥行き感を付与させつつも、液晶パネル２０の表示面２０ａ全体を有効に利用できるようになる。
【００５７】
（第４実施形態）
上記各実施形態では、指針４０を実体物として液晶パネル２０の背面側に配置している。これに対し本実施形態では、図１０〜図１２に示すように、実体物としての指針を廃止しており、液晶パネル２０の画像（指針画像Ｇ１４）で指針を表現している。そして、加飾リング４２０および加飾ボス部材４３０が実体物として、バックライト３０と液晶パネル２０の隙間４０ａに配置されている。加飾リング４２０および加飾ボス部材４３０は、拡散板３３の正面側の面に接触した状態で固定されている。
【００５８】
加飾ボス部材４３０は、液晶パネル２０の側に向けて凸となる向きに配置された円錐形状であり、円錐面にメッキが施された樹脂製である。該メッキは、指針画像Ｇ１４と同じ色に反射着色される。例えば、加飾リング４２０の内周側エッジ４２０ａから出射したＬＥＤ光赤色に反射着色される。加飾ボス部材４３０は、加飾リング４２０の中央に配置されている。
【００５９】
加飾リング４２０は、透光性を有する樹脂で形成されたリング状（環状）であり、本実施形態に係る加飾リング４２０は円環状である。加飾リング４２０は、拡散板３３との接触面から正面側に隆起した形状である。加飾リング４２０の正面側の面には、複数の溝が形成されており、これらの溝は、加飾リング４２０の径方向に延びる筋状であり、指針画像Ｇ１４に指し示される目盛り４２１として機能する。
【００６０】
加飾リング４２０には導光部４２２が設けられており、加飾リング４２０および導光部４２２は、樹脂により一体に形成されている。導光部４２２の側面には、発光ダイオードによる光源４２３が取り付けられている。光源４２３から射出された光は、導光部４２２の側面から入射した後、導光部４２２および加飾リング４２０の内部を進み、目盛り４２１を形成する溝で反射して、加飾リング４２０の正面側（図１１の上側）から出射する。目盛り４２１で反射した光は、液晶パネル２０の特定画素領域Ｇ１０を透過してユーザに視認されることとなる。
【００６１】
したがって、光源４２３を点灯させると目盛り４２１の部分が光って見える。光源４２３には赤、緑、青の３種類が設けられており、各々の光源４２３の輝度をマイコン６１が制御することで、加飾リング４２０から射出される光の色を調整できる。つまり、目盛り４２１を所望の色で視認させることができる。
【００６２】
表示面２０ａのうち、透過率が高く制御された領域（特定画素領域Ｇ１０）については、その領域の背面側に位置する物体、つまり加飾リング４２０、加飾ボス部材４３０または拡散板３３が、液晶パネル２０を透かして視認可能になる。換言すれば、バックライト３０から射出された光（白色光）のうち、加飾リング４２０および加飾ボス部材４３０で反射または屈折して液晶パネル２０に向かう光は、特定画素領域Ｇ１０を透過してユーザに視認されることとなる。具体的には、バックライト３０から射出した光のうち、加飾ボス部材４３０のメッキ部分で反射した光、および加飾リング４２０の内周側エッジ４２０ａから射出した光が、特定画素領域Ｇ１０を透過して視認される。さらに、光源４２３から射出して目盛り４２１で反射した光が、特定画素領域Ｇ１０を透過して視認される。さらに、バックライト３０のうち加飾リング４２０の内周側に位置する部分から射出した光が、特定画素領域Ｇ１０を透過して背景画像として視認される。
【００６３】
一方、表示面２０ａのうち透過率が低く制御された領域（他の画素領域Ｇ２０）では、その領域の背面側に位置する物体は視認できなくなる。換言すれば、加飾リング４２０および加飾ボス部材４３０で反射または屈折して液晶パネル２０に向かう光は、他の画素領域Ｇ２０を透過しないのでユーザに視認されない。なお、図１０、図１２、図１３および図１４に示す斜線は、断面ハッチングを意味するものではなく、透過率が所定値未満に低く設定された画素領域の範囲を意味する。
【００６４】
透過率を高くするほど、加飾リング４２０および加飾ボス部材４３０からの光が液晶パネル２０を透過する度合いが大きくなり、加飾ボス部材４３０、内周側エッジ４２０ａおよび目盛り４２１が鮮明に視認されるようになる。一方、透過率を小さくするほど、加飾ボス部材４３０、内周側エッジ４２０ａおよび目盛り４２１からの光が液晶パネル２０を透過する度合いが小さくなり、ぼやけて視認されるようになる。
【００６５】
要するに、液晶パネル２０による透過率を制御することで、実体物が視認される実体物表示モード（図１０、図１３参照）と、実体物が視認されない実体物非表示モード（図１４参照）とに切り替えることができる。また、実体物表示モードでは以下の態様で表示装置Ｄを視認させることもできる。すなわち、液晶パネル２０による透過率の度合いに応じて指針４０の鮮明度合い（ぼやける度合い）を制御できる。透過率を調整することで、実体物がぼやけて視認される度合いを調整できる。特定画素領域Ｇ１０に表示される画像と実体物とを重ねて視認させることができる。特定画素領域Ｇ１０のうち実体物と重なる部分を他の部分とは異なる色で表示することで、実体物がその表示色であるかのように錯覚させることができる。
【００６６】
図１０に示す実体物表示モードでは、表示面２０ａのうち加飾リング４２０および加飾ボス部材４３０の全体を含む領域を特定画素領域Ｇ１０として設定しており、特定画素領域Ｇ１０の外側全体を他の画素領域Ｇ２０として設定している。特定画素領域Ｇ１０には、目盛り４２１を指し示す指針画像Ｇ１４、目盛り４２１の物理量を表す数字画像Ｇ１３および影画像Ｇ１２が表示される。影画像Ｇ１２は、レーダをイメージさせる態様で指針の残像を表す画像である。車速に応じて指針画像Ｇ１４の表示位置を回転させることで、指針画像Ｇ１４と目盛り４２１との組み合わせにより車速が表示される。
【００６７】
指針画像Ｇ１４は、加飾ボス部材４３０から径方向に延びる形状の画像であり、加飾ボス部材４３０を回転中心として回転するように表示される。これにより、指針画像Ｇ１４により表示される指針と加飾ボス部材４３０とが一体となって回転しているように錯覚させる。影画像Ｇ１２は、指針画像Ｇ１４から回転方向逆側に延びる影を模した画像である。よって、指針画像の回転位置に応じて影画像Ｇ１２の表示位置も変化することとなる。なお、影画像Ｇ１２の回転方向長さは、指針画像Ｇ１４の回転速度が速いほど長く設定される。
【００６８】
要するに、図１０に示す実体物表示モードでは、他の画素領域Ｇ２０に表示された黒色画像を背景とし、拡散板３３、加飾リング４２０、加飾ボス部材４３０、指針画像Ｇ１４、数字画像Ｇ１３および影画像Ｇ１２が組み合わさって視認される。また、表示面２０ａと実体物と拡散板３３とでは、視認方向における光路長が異なるので、焦点距離の違いによる視差が生じる。つまり、実体物は表示面２０ａの視認方向奥側（背面側）に存在するように視認され、拡散板３３は実体物のさらに奥側に存在するように視認される。
【００６９】
他の画素領域Ｇ２０には黒色の背景画像が表示される。さらに他の画素領域Ｇ２０には、ウインカーが操作された向きを表示する方向指示画像Ｇ２２、および各種異常を警告表示する警告画像Ｇ２３が、背景画像を背景として表示されている。他の画素領域Ｇ２０に表示される全ての画像、つまり方向指示画像Ｇ２２、警告画像Ｇ２３および黒色の背景画像は、透過率が不透過（ＲＧＢが全てオフ）となるように設定されている。一方、特定画素領域Ｇ１０に表示される白色の背景画像は、透過率が全透過（ＲＧＢが全てオン）となるように設定されている。
【００７０】
図１３に示す実体物表示モードでは、表示面２０ａのうち加飾リング４２０を含む領域を特定画素領域Ｇ３００として設定し、特定画素領域Ｇ３００の外側全体を他の画素領域Ｇ４００として設定している。特定画素領域Ｇ３００には、バッテリ電力残存量を表す電力残量画像Ｇ３２０、および加飾リング４２０と同一の形状のリング画像Ｇ３０１が表示される。加飾ボス部材４３０を中心にリング画像Ｇ３０１が回転するように表示させることで、加飾リング４２０が実際に回転しているように錯覚させる。これにより、充電中である旨をユーザに認識させる。
【００７１】
他の画素領域Ｇ４００には黒色の背景画像が表示される。さらに他の画素領域Ｇ４００には、車速を数値で表した車速画像Ｇ４０１が、背景画像を背景として表示されている。背景画像および車速画像Ｇ４０１は、透過率が所定値未満となるように設定されている。一方、特定画素領域Ｇ３００に表示されるリング画像Ｇ３０１は、透過率が所定値以上となるように設定されている。なお、図１３の例では電力残量画像Ｇ３２０の透過率を所定値未満に設定しているため、加飾ボス部材４３０は視認されない。よって、電力残量画像Ｇ３２０が表示される領域は、実体物を視認させない他の画素領域の一部である。
【００７２】
図１４に示す実体物非表示モードでは、表示面２０ａの全体が、実体物を視認できない程度の低い透過率で表示される画素領域Ｇ４１０に設定されている。画素領域Ｇ４１０の中には、所定値未満の低透過率に設定された演出画像Ｇ４１１が表示されている。したがって、加飾リング４２０および加飾ボス部材４３０の両方がユーザに視認されない。なお、図１４に示す実体物非表示モードは、終了演出モードまたは開始演出モードの一例である。
【００７３】
以上により、本実施形態によれば、液晶パネル２０とバックライト３０の間に加飾リング４２０（実体物）および加飾ボス部材４３０（実体物）が配置されている。そのため、液晶パネル２０の正面側にこれらの実体物を配置した場合に生じる「液晶パネル２０による画像の一部が実体物により遮られて見えなくなる」といった問題を回避できる。よって、液晶パネル２０に実体物としての加飾リング４２０および加飾ボス部材４３０を組み合わせて表示装置Ｄに奥行き感を付与させつつも、液晶パネル２０の表示面２０ａ全体を有効に利用できるようになる。
【００７４】
また、本実施形態によれば、実体物表示モードにおいて、液晶パネル２０による画像の奥側に加飾リング４２０および加飾ボス部材４３０が視認され、さらにその奥側に拡散板３３が視認される。したがって、少なくとも３層のレイヤー表示を実現でき、奥行きのある見栄えにすることを向上できる。
【００７５】
さらに本実施形態によれば、実体物が背面側に位置する部分の特定画素領域Ｇ１０の透過率が、他の画素領域Ｇ２０より高いので、特定画素領域Ｇ１０を透過して実体物が視認され易くなる。一方、他の画素領域Ｇ２０については、液晶パネル２０の背面側に存在する物（拡散板３３）が視認され難くなる。そのため、特定画素領域Ｇ１０を透して視認される実体物が目立つようになり、実体物に視線が惹きつけられることが促進される。つまり、実体物への誘目性を向上させることができる。
【００７６】
さらに本実施形態では、バックライト３０とは別に、加飾リング４２０（加飾部材）を照明する光源４２３を備える。そのため、加飾リング４２０の目盛り４２１と、液晶パネル２０に表示される各種画像との視差で浮遊感を生じさせるにあたり、目盛り４２１を鮮明に視認させることができるので、視差が強調されて浮遊感を向上できる。
【００７７】
さらに本実施形態では、実体物としての目盛り４２１が、指針画像Ｇ１４により指し示される。そのため、目盛り４２１が指針画像Ｇ１４の奥側に視認され、奥行きのある見栄えにすることを向上できる。さらに、目盛り４２１の奥側に、指針画像Ｇ１４の背景となる拡散板３３が視認されるので、奥行き感を向上できる。
【００７８】
さらに本実施形態によれば、他の画素領域Ｇ２０が黒色画像になるように液晶パネル２０を制御する。そのため、他の画素領域Ｇ２０では拡散板３３が視認されなくなり、かつ、特定画素領域Ｇ１０の輝度が他の画素領域Ｇ２０の輝度よりも高くなるので、加飾リング４２０および加飾ボス部材４３０への誘目性をより一層向上できる。
【００７９】
さらに本実施形態によれば、加飾リング４２０および加飾ボス部材４３０の両方を非表示にする非表示モード（図１４参照）と、加飾ボス部材４３０を非表示にしつつ、加飾リング４２０を表示する表示モード（図１３参照）とを切り替える。このように、実体物を液晶パネル２０の背面側に配置しているので、液晶パネル２０による低輝度領域（他の領域）を変更することで、所望の実体物を非表示にすることを容易に実現できる。
【００８０】
（第５実施形態）
図１０に示す上記実施形態では、加飾リング４２０が所定位置に固定して設置されている。これに対し、図１５〜図１９に示す本実施形態では、アクチュエータ（電動モータ４２４）により加飾リング４２０を可動に構成している。具体的には、図１７に示すように、加飾リング４２０に取り付けられたブラケット４２５に、電動モータ４２４の回転軸を取り付けている。電動モータ４２４の回転軸を回転駆動させるとブラケット４２５が回転し、これにより、上記回転軸を中心に加飾リング４２０が回転する。なお、本実施形態では図１２に示す加飾ボス部材４３０を廃止して（図１６参照）、加飾ボス部材４３０を模したボス画像Ｇ１５を液晶パネル２０に表示させている（図１５参照）。これにより、回転する加飾リング４２０に加飾ボス部材４３０が干渉することを回避させている。
【００８１】
図５に示す制御装置６００が電動モータ４２４を制御することにより、加飾リング４２０は、液晶パネル２０の表示面２０ａに対向する位置（図１８参照）と、対向する位置から外れた位置（図１９参照）とに往復移動する。ブラケット４２５は、光源４２３とともに、表示面２０ａに対向する位置から外れた位置に配置されている（図１８、図１９参照）。そのため、ブラケット４２５、電動モータ４２４および光源４２３は、インストルメントパネルの裏面側に隠れて配置されることになるので、図１５に示すように視認されることはない。
【００８２】
なお、ケース１０がインストルメントパネルに組み付けられていることは先述した通りであるが、図１５では、ケース１０の周囲に存在するインストルメントパネルの図示を省略している。また、図１８および図１９では、インストルメントパネルから表示装置Ｄを取り外した状態を図示している。
【００８３】
図１８に示す実体物表示モードでは、特定画素領域Ｇ１０に位置する加飾リング４２０の一部が液晶パネル２０を透過して視認されることとなる。一方、図１９に示す実体物非表示モードでは、加飾リング４２０は第２画素領域Ｇ４０により隠されて視認されなくなる。なお、加飾リング４２０を可動させることにより、加飾リング４２０のうち、表示面２０ａに対向する位置に存在する部分の面積は、実体物非表示モードでは実体物表示モード時よりも減少する。
【００８４】
図１５および図１８に示す実体物表示モードでは、表示面２０ａのうち加飾リング４２０を含む領域を特定画素領域Ｇ１０として設定しており、特定画素領域Ｇ１０の外側全体を他の画素領域Ｇ２０として設定している。特定画素領域Ｇ１０には、目盛り４２１を指し示す指針画像Ｇ１４、目盛り４２１の物理量を表す数字画像Ｇ１３、影画像Ｇ１２およびボス画像Ｇ１５が表示される。この実体物表示モードでは、他の画素領域Ｇ２０に表示された黒色画像を背景とし、拡散板３３、加飾リング４２０、指針画像Ｇ１４、数字画像Ｇ１３、影画像Ｇ１２およびボス画像Ｇ１５が組み合わさって視認される。
【００８５】
他の画素領域Ｇ２０には黒色の背景画像が表示される。さらに他の画素領域Ｇ２０には、ウインカーが操作された向きを表示する方向指示画像Ｇ２２、および各種異常を警告表示する警告画像Ｇ２３が、背景画像を背景として表示されている。他の画素領域Ｇ２０に表示される画像は、透過率が所定値未満となるように設定されている。一方、特定画素領域Ｇ１０に表示される白色の背景画像は、透過率が所定値以上となるように設定されている。
【００８６】
図１９に示す実体物非表示モードでは、表示面２０ａは、第１画素領域Ｇ３０と、第１画素領域Ｇ３０の外側全体の領域である第２画素領域Ｇ４０とに区分されている。第２画素領域Ｇ４０は、加飾リング４２０が視認されない程度に透過率が低く設定されており、加飾リング４２０の回転位置は、第１画素領域Ｇ３０に対応する位置の外に制御されている。詳細には、加飾リング４２０の一部は第２画素領域Ｇ４０に対向する位置に存在し、それ以外の部分は表示面２０ａに対向する位置の外に存在する。そのため、加飾リング４２０はユーザに視認されない。また、第２画素領域Ｇ４０には黒色の背景画像を背景として、方向指示画像Ｇ４１が表示されている。
【００８７】
第１画素領域Ｇ３０には、車速を数値で表した車速画像Ｇ３１と、車載バッテリの電力残量を表した電力残量画像Ｇ３２とが表示されている。これら車速画像Ｇ３１および電力残量画像Ｇ３２の背景を表す第１画素領域Ｇ３０の背景画像は、第２画素領域Ｇ４０の背景画像よりも高透過率に設定されている。
【００８８】
以上により、本実施形態によれば、液晶パネル２０とバックライト３０の間に加飾リング４２０（実体物）が配置されている。そのため、液晶パネル２０の正面側にこの実体物を配置した場合に生じる「液晶パネル２０による画像の一部が実体物により遮られて見えなくなる」といった問題を回避できる。よって、液晶パネル２０に実体物としての加飾リング４２０を組み合わせて表示装置Ｄに奥行き感を付与させつつも、液晶パネル２０の表示面２０ａ全体を有効に利用できるようになる。
【００８９】
さらに本実施形態によれば、全ての実体物、つまり加飾リング４２０および加飾ボス部材４３０の両方を非表示にする非表示モード（図１４参照）と、一部の実体物つまり加飾ボス部材４３０を非表示にする非表示モード（図１３参照）とを切り替える。このように、実体物を液晶パネル２０の背面側に配置しているので、液晶パネル２０による低輝度領域（他の領域）を変更することで、所望の実体物を非表示にすることを容易に実現できる。
【００９０】
さらに本実施形態によれば、電動モータ４２４は、表示面２０ａに対して平行に実体物を移動させる。そのため、表示装置Ｄを視認方向に大型化させることを回避しつつ、実体物を可動にできる。また、電動モータ４２４は、液晶パネル２０の表示面２０ａに対向する位置と、その対向する位置から外れた位置とに実体物を往復移動させる。そのため、実体物非表示モードにおいて、実体物のうち表示面２０ａに対向する部分の面積を小さくできる。よって、実体物非表示モードでの第２画素領域Ｇ４０、つまり、実体物を隠すための画素領域の面積を小さくできる。そのため、低輝度にすることが要求される面積を小さくでき、実体物非表示モードにおける表示内容の自由度を向上できる。
【００９１】
（第６実施形態）
上記第５実施形態では、実体物である加飾リング４２０を回転移動させている。これに対し本実施形態では、加飾リング４４０を、向きを変えずに表示面２０ａに対して平行に移動させている。しかも、複数の分割ピース４４１、４４２、４４３、４４４を平行移動させることで、以下に説明する図２０に示す合体モードと図２１に示す分離モードとに切り替えている。
【００９２】
合体モードでは、複数の分割ピース４４１〜４４４を組み合わせて１つの加飾リング４４０を形成するように移動させる。液晶パネル２０のうち加飾リング４４０に対向する部分には、加飾リング画像Ｇ５０が表示されている。加飾リング画像Ｇ５０の外側部分には、車速を数値で表した車速画像Ｇ５１、および燃料残量を表した燃料残量画像Ｇ５２が表示されている。加飾リング画像Ｇ５０の内側部分には、指針画像Ｇ５３、目盛り画像Ｇ５４および数値画像Ｇ５５が表示されている。
【００９３】
合体モードにおいて、液晶パネル２０のうち加飾リング画像Ｇ５０が表示される領域は「特定画素領域」に相当する。上記各画像Ｇ５０〜Ｇ５５が表示されていない領域は、背景画像が表示される「他の画素領域」に相当する。つまり、加飾リング画像Ｇ５０は、加飾リング４４０に重畳する位置に表示されており、上記背景画像に比べて光の透過率が高くなるように設定されている。そのため、加飾リング４４０は液晶パネル２０を透過して視認される。したがって、加飾リング画像Ｇ５０が加飾リング４４０に重なって視認され、加飾リング４４０が加飾リング画像Ｇ５０の色等で形成された実体物であるかのように錯視させることができる。
【００９４】
分離モードでは、複数の分割ピース４４１〜４４４を分離して配置させる。分割ピース４４１〜４４４の各々は、以下に説明する各々の指針画像Ｇ６３および目盛り画像Ｇ６４を加飾する。液晶パネル２０の４隅に位置する４組の指針画像Ｇ６３および目盛り画像Ｇ６４は、燃料残量、エンジン回転数、エンジン冷却水温度、燃費指標をそれぞれ表示する。液晶パネル２０の中央部分には、車速を数値で表した車速画像Ｇ６１が表示されている。
【００９５】
分離モードにおいて、液晶パネル２０のうち加飾リング画像Ｇ６０が表示される領域は「特定画素領域」に相当し、上記各画像Ｇ６０〜Ｇ６４が表示されていない領域は背景画像であり、「他の画素領域」に相当する。つまり、加飾リング画像Ｇ６０は、上記背景画像に比べて光の透過率が高くなるように設定されており、分割ピース４４１〜４４４は液晶パネル２０を透過して視認される。したがって、加飾リング画像Ｇ６０が分割ピース４４１〜４４４に重なって視認され、分割ピース４４１〜４４４が加飾リング画像Ｇ６０の色等で形成された実体物であるかのように錯視させることができる。
【００９６】
要するに、合体モードと分離モードとに切り替えて分割ピース４４１〜４４４を移動させ、その移動に伴って特定画素領域の位置または形状を変更させるように液晶パネル２０を制御していると言える。なお、上記第５実施形態では、加飾リング４２０の回転移動範囲を、表示面２０ａの外側にまで拡大させているが、本実施形態では、分割ピース４４１〜４４４の移動範囲を、表示面２０ａに対向する範囲（内側）に制限している。
【００９７】
以上により、本実施形態の如く加飾リング４４０を平行移動させる場合においても、上記第５実施形態と同様の効果が発揮される。また、加飾リング４４０を複数の分割ピース４４１〜４４４に分離して移動させるので、加飾リング４２０を回転させる場合に比べて特定画素領域の位置の自由度が向上する。よって、実体物表示モードおよび実体物非表示モードのいずれにおいても、表示内容の自由度を向上できる。
【００９８】
（第７実施形態）
上記第６実施形態では、複数の分割ピース４４１〜４４４を、向きを変えずに平行移動させている。これに対し、図２２に示す本実施形態では、加飾リング４５０を構成する複数の分割ピース４５１、４５２、４５３、４５４は、複数の回転軸４５０ａ、４５０ｂの各々を中心に回転するように構成されている。図２２中の二点鎖線は、複数の分割ピース４５１〜４５４を組み合わせて１つの加飾リング４５０を形成するように移動させた、合体モードを示す。
【００９９】
合体モードおよび分離モードにおいて、液晶パネル２０のうち加飾リング画像Ｇ７０、Ｇ７１が表示される領域は「特定画素領域」に相当する。加飾リング画像Ｇ７０、Ｇ７１が表示されていない領域は、背景画像が表示される「他の画素領域」に相当する。つまり、加飾リング画像Ｇ７０、Ｇ７１は、上記背景画像に比べて光の透過率が高くなるように設定されており、加飾リング４５０または分割ピース４５１〜４５４は液晶パネル２０を透過して視認される。したがって、加飾リング画像Ｇ７０、Ｇ７１が分割ピース４５１〜４５４に重なって視認され、加飾リング４５０が加飾リング画像Ｇ７０、Ｇ７１の色等で形成された実体物であるかのように錯視させることができる。
【０１００】
要するに、合体モードと分離モードとに切り替えて分割ピース４５１〜４５４を移動させ、その移動に伴って特定画素領域の位置または形状を変更させるように液晶パネル２０を制御していると言える。
【０１０１】
以上により、本実施形態によれば、加飾リング４４０を複数の分割ピース４５１〜４５４に分離して移動させるので、分離させない第５実施形態の場合に比べて特定画素領域の位置の自由度が向上する。また、各々の分割ピース４４１〜４４４を平行移動させる上記第６実施形態に比べて、分割ピース４５１〜４５４を回転させる本実施形態の構造によれば、分割ピース４５１〜４５４を回転させる機構を簡素で小型にできる。
【０１０２】
（第８実施形態）
本実施形態では、図２３、図２４および図２５に示すように、液晶パネル２０に対してバックライト３０の反対側（正面側）に、回転駆動される指針７０が備えられている。指針７０は、指示部７１およびカバー部７２を有する。ケース１０には、視認方向に対して垂直方向に凹む凹部１０ａが形成されている。凹部１０ａには、モータ８１および光源８２が実装された基板８０が配置されている。基板８０は回路基板６０に接続されており、モータ８１および光源８２の作動はマイコン６１により制御される。基板８０はケース１０に支持され、モータ８１は基板８０に支持され、指針７０はモータ８１に支持される。
【０１０３】
指示部７１の回転中心部分にはモータ８１の回転軸８１ａが固定されており、モータ８１が駆動すると、指示部７１は、カバー部７２とともに表示面２０ａに沿って回転する。光源８２は例えば発光ダイオードであり、光源８２から射出された光は、指示部７１の入射面７１ａから指示部７１の内部へ入射する。指示部７１は導光性を有する樹脂製であり、内部へ入射した光は反射面７１ｂで反射して、指示部７１の回転中心部分から先端部分へ向かって進む。
【０１０４】
指示部７１のうち背面側の面は反射面７１ｃとして機能する。例えば、しぼ加工を施すことで反射面７１ｃを形成する。或いは、白色の塗料を塗布することで反射面７１ｃを形成する。反射面７１ｂで反射した後、反射面７１ｃで反射しながら指示部７１の内部を進む光は、指示部７１の手前側（視認者側）の面である射出面７１ｄから射出する。これにより、光源８２の光で指示部７１は透過照明され、射出面７１ｄの全体が光るように視認される。
【０１０５】
指示部７１の回転中心部分であって、回転軸８１ａおよび入射面７１ａを形成する部分は、その手前側からカバー部７２により覆われている。カバー部７２は、透光性を有しない樹脂で形成されている。或いは、カバー部７２の表面に遮光塗料が塗布されている。カバー部７２は、その手前側からケース１０により覆われている。ケース１０は、透光性を有しない樹脂で形成されているので、指針７０のうちのカバー部７２は、ケース１０により覆われて視認できないように目隠しされる。
【０１０６】
図２３に示すように、液晶パネル２０を実体物表示モードで表示させている場合には、指針７０が目盛り４２１を指し示す範囲（表示範囲）で指針７０を回転させる。換言すれば、指針７０が表示面２０ａと重なって見える範囲、つまり開口部１１ａの内側の範囲で指針７０を回転させる。液晶パネル２０を実体物非表示モードで表示させている場合には、図２３の一点鎖線に示すように、指針７０が表示面２０ａと重ならない範囲（非表示範囲）、つまり開口部１１ａの外側の範囲に指針７０を回転させて収容する。これにより、指針７０の全体がケース１０に覆われて視認されなくなる。
【０１０７】
要するに、指針７０の回転範囲には、目盛りを指し示すことで物理量を表示する表示範囲、および表示範囲とは異なる非表示範囲が含まれている。そして、ケース１０のうち、非表示範囲にある指針７０を覆って目隠しする部分は、特許請求の範囲に記載の目隠し部材１０ｂに相当する。
【０１０８】
本実施形態では、加飾リング４２０については液晶パネル２０とバックライト３０の間に配置し、指針７０については、液晶パネル２０に対してバックライト３０の反対側（手前側）である液晶パネル２０の目視側に配置する構成である。また、指針７０を照明する光源８２を備える構成である。そのため、指針７０が直接視認者に視認されるので、指針７０の視認性が向上する。なお、液晶パネル２０とバックライト３０の間に指針以外の実体物を配置することで、表示装置Ｄを奥行きのある見栄えにさせている。
【０１０９】
さらに本実施形態では、指針７０の回転範囲には、目盛りを指し示すことで物理量を表示する表示範囲、およびその表示範囲とは異なる非表示範囲が含まれている。そして、非表示範囲にある指針７０を覆って目隠しする目隠し部材１０ｂを備える。そのため、目隠し部材１０ｂの背面である非表示範囲内に指針７０を回転移動させれば、液晶パネル２０の表示の一部が、指針７０により遮られて見えなくなることを回避できる。具体的には、実体物非表示モードで表示させている場合には、非表示範囲に指針７０を回転させて収容し、指針７０の全体がケース１０に覆われて視認されないようにする。そのため、実体物非表示モードによる液晶パネル２０の表示の一部が、指針７０により遮られて見えなくなることを回避できる。よって、液晶パネル２０に実体物を組み合わせて奥行き感を付与させつつも、液晶パネル２０の表示面２０ａ全体を有効に利用できる。
【０１１０】
（第９実施形態）
図２６に示す本実施形態では、指針照明用の光源９１を設けている。光源９１は基板９０に実装され、基板９０は回路基板６０に接続され、光源９１の作動はマイコン６１により制御される。ケース１０には、視認方向に対して垂直方向に凹む凹部１０ｃが形成されている。凹部１０ｃには、光源９１が実装された基板９０が配置されている。
【０１１１】
光源９１は、指針４０の回転軌跡に沿ってリング状に複数配置されている。具体的には、光源９１およびその光源９１が実装された基板９０が、指針４０の回転方向において所定間隔で複数配置されている。
【０１１２】
以上により、本実施形態では指針照明用の光源９１を備えるので、バックライト３０と液晶パネル２０との間に指針４０が配置されていても指針４０の視認性が向上する。
【０１１３】
（他の実施形態）
以上、発明の好ましい実施形態について説明したが、発明は上述した実施形態に何ら制限されることなく、以下に例示するように種々変形して実施することが可能である。各実施形態で具体的に組合せが可能であることを明示している部分同士の組合せばかりではなく、特に組合せに支障が生じなければ、明示してなくとも実施形態同士を部分的に組み合せることも可能である。
【０１１４】
バックライト３０の発光面３３ｂは、液晶パネル２０の表示面２０ａよりも大きく形成されていることが望ましい。これによれば、表示面２０ａの全面を低透過率にした場合に、バックライト３０のうち発光面３３ｂよりも外側の部分Ｐ２（図２参照）が、液晶パネル２０を透かして視認されてしまうおそれを低減できる。よって、表示装置Ｄの見栄えが損なわれるおそれを低減できる。
【０１１５】
上記第１実施形態では、指針４０を回転させる回転軸５１および電動モータ５０を所定位置に固定している。これに対し、回転軸５１および電動モータ５０を、指針４０とともに移動可能に構成してもよい。
【０１１６】
図１に示す実施形態では、目盛り画像Ｇ１１を特定画素領域Ｇ１０に表示させているが、他の画素領域Ｇ２０に表示させてもよい。
【０１１７】
図７に示す実施形態では、数字画像Ｇ１３のうち指針４０と重なった部分を非表示にしている。これと同様にして、目盛り画像Ｇ１１についても、指針４０と重なった部分を非表示にしてもよい。
【０１１８】
図１２および図１７に示す実施形態では、加飾リング４２０に光源４２３を取り付けているが、該光源４２３を廃止してもよい。また、図１に示す実施形態において、指針４０に光源を取り付けて、該光源で指針４０を照明させてもよい。
【０１１９】
特定画素領域Ｇ１０、Ｇ１００、Ｇ３００は、実体物の全体が見えるように設定されてもよいし、実体物の一部が見えるように設定されてもよい。また、各実施形態において、図１４に例示する如く、実体物の全体が見えない表示モードに切り替えてもよい。
【０１２０】
特定画素領域Ｇ１０、Ｇ１００、Ｇ３００、Ｇ５０、Ｇ６０、Ｇ７０、Ｇ７１と他の画素領域Ｇ２０、Ｇ４００との境界は、輝度が徐々に変化するグラデーション表示の画像にすることが望ましい。
【０１２１】
上記各実施形態に係る実体物を任意に組み合わせて表示装置Ｄに備えさせてもよい。例えば、加飾リング４２０、４４０、４５０と指針４０の両方を備えさせてもよいし、加飾ボス部材４３０や壁部材４００を任意に組み合わせてもよい。
【０１２２】
図８に示す実施形態では、壁部材４００を環状に形成しているが、壁部材４００は環状に限られるものではない。また、各実施形態において実体物を透明の樹脂で形成しているが、着色された樹脂を採用してもよい。また、バックライト３０が有する反射板３２に、文字または図形を表す印刷や凹部を形成し、反射板３２を文字板として機能させてもよい。
【０１２３】
上記第４および第５実施形態に係る加飾部材は、リング形状の加飾リング４２０であるが、本発明に係る加飾部材はリング形状に限定されるものではなく、例えば、指針画像Ｇ１４や指針４０の回動方向に延びる円弧形状であってもよい。
【０１２４】
上記各実施形態では、他の画素領域Ｇ２０に表示される背景画像を黒色に制御しているが、上記背景画像は黒色に限定されるものではなく、特定画素領域Ｇ１０よりも低透過率であれば、背景画像の色や輝度は任意に設定すればよい。
【０１２５】
上記第１実施形態では、指針４０の可動範囲全体を特定画素領域Ｇ１０に設定している。これに対し、可動範囲全体のうち指針４０が存在する部分を特定画素領域Ｇ１０に設定し、可動範囲であっても指針４０が存在していない部分は他の画素領域Ｇ２０に設定して低透過率にしてもよい。
【０１２６】
図４に示す実施形態では、実体物非表示モードにて、表示面２０ａに対向する位置から外れた位置に指針４０を回転制御するにあたり、指針４０の一部を外れた位置にしている。これに対し、指針４０の全体を外れた位置にしてもよい。
【０１２７】
また、各実施形態では液晶パネル２０はフルカラータイプであるが、モノクロタイプであってもよい。また、行電極および列電極を備えたマトリックス型でなく、所定形状のセグメント電極を備えてそれに対応する画素による画像を表示するセグメント液晶パネルにも適用可能である。
【０１２８】
上記第９実施形態では、指針４０の視認者側から光源９１の光を照射して照明しているが、光源９１の光を指針４０内部に導光させて透過照明させてもよい。
【０１２９】
上記各実施形態では、車両のインストルメントパネルに組み付けられた表示装置Ｄに本発明を適用させているが、本発明は該適用に限定されるものではなく、例えば、車両に搭載された電子ミラーに適用させてもよい。なお、電子ミラーとは、フロントウインドシールドやドアトリムに取り付けられて、ミラーに映る像を模した画像を表示させるものであり、車両後方の映像を表示させるものである。また、本発明は車両に搭載された表示装置に限定されるものではなく、例えば、パチンコやスロットル等の遊技機等や、家電製品に搭載された表示装置であってもよい。
【符号の説明】
【０１３０】
２０…液晶パネル、２０ａ…表示面、３０…バックライト、４０…指針（実体物）、５０…電動モータ（アクチュエータ）、４００…環状壁（実体物）、４２０…加飾リング（実体物としての加飾部材）、４３０…加飾ボス部材（実体物としての加飾部材）、４４０、４５０…加飾リング（実体物としての加飾部材）、６００…制御装置、Ｄ…表示装置、Ｇ１０、Ｇ１００、Ｇ３００、Ｇ５０、Ｇ６０、Ｇ７０、Ｇ７１…特定画素領域、Ｇ１１…目盛り画像、Ｇ１２…影画像、Ｇ２０、Ｇ４００…他の画素領域。
【図１】
0006477046.tif 000002
【図２】
0006477046.tif 000003
【図３】
0006477046.tif 000004
【図４】
0006477046.tif 000005
【図５】
0006477046.tif 000006
【図６】
0006477046.tif 000007
【図７】
0006477046.tif 000008
【図８】
0006477046.tif 000009
【図９】
0006477046.tif 000010
【図１０】
0006477046.tif 000011
【図１１】
0006477046.tif 000012
【図１２】
0006477046.tif 000013
【図１３】
0006477046.tif 000014
【図１４】
0006477046.tif 000015
【図１５】
0006477046.tif 000016
【図１６】
0006477046.tif 000017
【図１７】
0006477046.tif 000018
【図１８】
0006477046.tif 000019
【図１９】
0006477046.tif 000020
【図２０】
0006477046.tif 000021
【図２１】
0006477046.tif 000022
【図２２】
0006477046.tif 000023
【図２３】
0006477046.tif 000024
【図２４】
0006477046.tif 000025
【図２５】
0006477046.tif 000026
【図２６】
0006477046.tif 000027